(57)【特許請求の範囲】
【請求項１】
空調用チャンバを空調室内機の下部に取付ける取付金具であって、上記チャンバの側壁に重合するように固定されるベース部と、このベース部の両側から側方に夫々対をなして起立された支持部と、この支持部に基部が縦方向に回動自在に枢着された締付用アーム部と、先端部が上記空調室内機の一部に係合可能に形成されると共に、上記締付用アーム部の先端部にその基部が縦方向に回動自在に枢着された係合用アーム部とを備え、上記締付用アーム部の先端部から、この締付用アームを下方に回動させ上記係合用アーム部を引き下げた状態で、上記ベース部またはチャンバの側壁に重合する固定片を延出し、この固定片を上記ベース部またはチャンバに締結具により固定するようになすと共に、上記ベース部の下部に、他の取付金具の係合用アーム部の先端部と係合しうる爪状の突起を形成したことを特徴とする空調用チャンバの取付金具。
【発明の詳細な説明】
【０００１】
【発明の属する技術分野】
本発明は、空気調和装置の天井埋め込み式室内機に対し、その下部で空気吹出口や吸込口を形成するチャンバを取付けるための取付金具に関するものである。
【０００２】
【従来の技術】
空調用チャンバは、例えば室の天井に据付けられる空調室内機と室内パネルとの間に配設され、フィルター等を支持すると共に、空気吹出口や吸込口、あるいは新鮮空気を通すための空気流路等を区画形成するものである。
【０００３】
かかるチャンバと室内機との取付けは、従来はチャンバの側壁の一部から水平に延出したフランジ部と、同様に室内機の一部から水平に延出したフランジ部とを合わせ、これらフランジ部をボルト・ナット等の締結具により締着することにより両者の固定を行っていた。
【０００４】
【発明が解決しようとする課題】
しかしながら、上記チャンバを室内機に取付ける際には、天井に据付けられた室内機に対してチャンバを取付けねばならず、上記従来の方法ではチャンバを支持しながらフランジ部同士を合わせ、この状態を保ちながらボルト締めを行わねばならないことから、作業に熟練した者か複数の作業員を要しなければ施工を行えないという問題がある。
本発明は叙上の如き実状に対処し、新規な取付金具を見出すことにより、上記チャンバの取付けを簡便に行わしめることを目的とするものである。
【０００５】
【課題を解決するための手段】
すなわち、上記目的に適合する本発明の空調用チャンバの取付金具は、空調用チャンバを空調室内機の下部に取付ける取付金具であって、上記チャンバの側壁に重合するように固定されるベース部と、このベース部の両側から側方に夫々対をなして起立された支持部と、この支持部に基部が縦方向に回動自在に枢着された締付用アーム部と、先端部が上記空調室内機の一部に係合可能に形成されると共に、上記締付用アーム部の先端部にその基部が縦方向に回動自在に枢着された係合用アーム部とを備え、上記締付用アーム部の先端部から、この締付用アーム部を下方に回動させ上記係合用アーム部を引き下げた状態で、上記ベース部またはチャンバの側壁に重合する固定片を延出し、この固定片を上記ベース部またはチャンバに締結具により固定するようになすと共に、上記ベース部の下部に他の取付金具の係合用アーム部の先端部と係合しうる爪状の突起を形成し、チャンバを上下に連設可能となしたことを特徴とする。
【０００７】
【作用】
上記本発明の取付金具においては、係合用アーム部の先端部を、予め形成した室内機の突起等に係合させ、チャンバを一旦吊り下げた状態となし、その後、締付用アーム部を回動させることによって上記チャンバを正規の位置に吊り上げると共に、この締付用アーム部の固定片をねじ止めすることにより、簡単にチャンバと室内機の取付けを行なうことが可能である。
【０００８】
【発明の実施の形態】
以下さらに添付図面を参照して、本発明の実施の形態を説明する。
【０００９】
図１は本発明実施形態の取付金具の固定状態を示す側面図、図２は同、固定前の状態を示す側面図、図３は同取付金具の固定状態を示す斜視図、図４は同、固定前の状態を示す斜視図である。
【００１０】
この例では取付金具１は、空調用チャンバ２を空調室内機３の下部に取付けるものであり、室内機３の側壁からは係止部として斜め上方に爪状の突起３ａが突設されている。
【００１１】
一方、上記取付金具１は、チャンバ２の側壁２ａにボルト４によって重合するように固定されるベース部５と、このベース部５の両側から側方に夫々対をなして起立された支持部６と、この支持部６に基部７ａが縦方向に回動自在に枢着された締付用アーム部７と、先端部８ｂが上記室内機３の突起３ａに係合しうる環状に形成されると共に、上記締付用アーム部７の先端部７ｂにその基部８ａが縦方向回動自在に枢着された係合用アーム部８とを備えている。
【００１２】
そして、上記締付用アーム部７の先端部からは、この締付用アーム部７を図１に示す如く下方に回動させ、上記係合用アーム部８を図示の如く引き下げた状態で、上記ベース部５（またはチャンバ側壁２ａ）に重合する固定片９が延出されており、この固定片９を上記ベース部５とチャンバ２とにボルト１０によって固定するようになっている。
なお、上記締付用アーム部７の下方での止着位置は、図示の如くベース部５側に先端部７ｂの枢着軸Ｐ2 が基部７ａの枢着軸Ｐ1 より近づいた位置となっており、これによって上記固定片９は、ボルト１０がなくてもベース部５に付勢され
るように重合した姿勢を保持しうる。
【００１３】
また、上記ベース部５からは、チャンバ側壁２ａのスリット（図示せず）に嵌合する嵌合爪１１が１対突設されており、このスリットと嵌合爪１１の嵌合によって、チャンバ２への取付金具１の固定強度を向上させている。
【００１３】
そしてさらに、上記ベース部５の下部からは、図５に示すようにもう１つの取付金具１′の係合用アーム部８′の先端部８ｂ′と係合しうる爪状の突起１２が斜め上方を向いて突設されている。これによって、図示の如くもう１つのチャンバ２′を連設することが可能である。
【００１４】
しかして、上記本発明実施形態の取付金具１においては、図２に示すように係合用アーム部８の先端部８ｂを、室内機３の突起３ａに係合させ、チャンバ２を一旦吊り下げた状態となし、その後、図１に示す如く、締付用アーム部７を下方に回動させることによって上記チャンバ２を正規の位置に吊り上げると共に、この締付用アーム部７の固定片９をボルト１０によってねじ止めすることにより、簡単にチャンバ２と室内機３の取付けを行うことが可能である。
【００１５】
以上、本発明の実施の形態を説明したが、係合用アーム部８の先端部８ｂと室内機３の突起３ａ等による係合部は、室内機３の側を環状に形成すると共に、係合用アーム部８の先端部８ｂをこの環状部に係合しうる爪状に形成することも可能である。
【００１６】
【発明の効果】
以上説明したように、本発明のチャンバの取付金具は、チャンバの側壁に重合するように固定されるベース部と、このベース部の両側から側方に夫々対をなして起立された支持部と、この支持部に基部が縦方向に回動自在に枢着された締付用アーム部と、先端部が室内機の一部に係合可能に形成されると共に、上記締付用アーム部の先端部にその基部が縦方向に回動自在に枢着された係合用アーム部とを備え、上記締付用アーム部の先端から、この締付用アーム部を下方に回動させ上記係合用アーム部を引き下げた状態で、上記ベース部またはチャンバの側壁に重合する固定片を延出し、この固定片を上記ベース部またはチャンバに締結具により固定するようにしたものであり、上記係合用アーム部の先端部を、予め形成した室内機の突起等に係合させ、チャンバを一旦吊り下げた状態となし、その後、締付用アーム部を回動させることによって上記チャンバを正規の位置に吊り上げると共に、この締付用アームの固定片をねじ止めすることにより簡便かつ容易にチャンバと室内機の取付けを行わしめるとの顕著な効果を奏するものである。
また、上記ベース部の下部に、他の取付金具の係合用アーム部の先端部と係合しうる爪状の突起を形成することにより、上記チャンバを上下に連設することも可能である。
【図面の簡単な説明】
【図１】本発明実施形態の取付金具の固定状態を示す一部断面側面図である。
【図２】同、固定前の状態を示す一部断面側面図である。
【図３】同取付金具の固定状態を示す斜視図である。
【図４】同、固定前の状態を示す斜視図である。
【図５】チャンバを連設した状態を示す一部断面側面図である。
【符号の説明】
１  取付金具
２  チャンバ
２ａ  側壁
３  室内機
３ａ  突起
４  ボルト
５  ベース部
６  支持部
７  締付用アーム部
７ａ  基部
７ｂ  先端部
８  係合用アーム部
８ａ  基部
８ｂ  先端部
９  固定片
１０  ボルト
１１  嵌合爪
１２  突起
【図１】
0003758822.tif 000002
【図２】
0003758822.tif 000003
【図３】
0003758822.tif 000004
【図４】
0003758822.tif 000005
【図５】
0003758822.tif 000006